(57)【特許請求の範囲】
【請求項１】
像が形成されている記録材に接触し、該記録材を加熱する加熱手段と、
前記加熱手段で加熱された記録材を搬送する搬送手段と、
前記搬送手段により搬送された記録材の像を固化させる固化手段と、
前記加熱手段および前記搬送手段を囲み、且つ、前記固化手段の設けられた空間が外部になるように設けられ、前記加熱手段から放射された電磁波を前記加熱手段および前記搬送手段に向けて反射するとともに、当該電磁波が前記固化手段に伝達されないように遮断する第１反射手段と
を備えることを特徴とする像定着固化装置。
【請求項２】
前記第１反射手段によって囲まれた空間内であって、前記搬送手段によって搬送される記録材の面に対向する位置に設けられている第２反射手段
を備えることを特徴とする請求項１に記載の像定着固化装置。
【請求項３】
前記搬送手段は前記記録材の一部に接触して該記録材を搬送する搬送ベルトであって、
前記記録材を前記搬送ベルトに密着させる空気流を形成する空気流形成手段と
を具備することを特徴とする請求項１または２に記載の像定着固化装置。
【請求項４】
前記搬送手段は、前記加熱手段で加熱された記録材の像が形成されている面と反対側の面に接して該記録材を搬送することを特徴とする請求項３記載の像定着固化装置。
【請求項５】
前記搬送手段で搬送される記録材から発生する蒸気を吸引する吸引手段
を具備することを特徴とする請求項１から４のいずれか１項に記載の像定着固化装置。
【請求項６】
前記固化手段は少なくとも記録材の像が形成されている面側に接触し前記記録材を冷却する冷却手段であることを特徴とする請求項１から５のいずれか１項に記載の像定着固化装置。
【請求項７】
前記冷却手段は少なくとも複数のロールで張架され循環移動することで記録材の像が形成されている面側に接触し記録材を搬送する第１搬送ベルトを有することを特徴とする請求項６に記載の像定着固化装置。
【請求項８】
前記冷却手段は
複数のロールで張架され循環移動することで前記第１搬送ベルトと共に記録材を挟持し搬送する第２搬送ベルトと
前記第１搬送ベルトと前記第２搬送ベルトとで記録材を挟持搬送している区間における該第１搬送ベルトの内周面に接触し該第１搬送ベルトを冷却する冷却体と
を有することを特徴とする請求項７に記載の像定着固化装置。
【請求項９】
前記記録材に形成されている像は、非晶性樹脂と結晶性樹脂とを成分中に含み、
前記反射手段で反射された電磁波により前記記録材上の像が温められた状態を保たれ、前記冷却手段に該記録材が接触する際の温度は非晶性樹脂のガラス転移温度および結晶性温度より高い温度であって、
前記冷却手段により非晶性樹脂のガラス転移温度および結晶性樹脂の融点の温度より低い温度に冷却されることを特徴とする請求項１から８のいずれか１項に記載の像定着固化装置。
【請求項１０】
記録材に像を形成する像形成手段と
請求項１から９のいずれか１項に記載の像定着固化装置と
を備えたことを特徴とする画像形成装置。
【発明の詳細な説明】
【技術分野】
【０００１】
本発明は、像定着固化装置および画像形成装置に関する。
【背景技術】
【０００２】
像を記録材に定着させるものに、トナー像を加熱して溶融し、記録材に定着させる定着装置が用いられている。定着装置から記録材が排出された後もトナー像の温度は比較的高く、記録材が外力を受けるとトナー像が乱れやすいため、定着工程を経た記録材を冷却してトナー像を固化させることがある。特許文献１には、未定着のトナー像を担持する転写材を定着する第１の定着部の下流側に配置された、加熱ローラと分離ローラにベルトを張架し、該ベルトの内側で、かつ、前記加熱ローラと前記ベルトとの当接部より下流側で、前記分離ローラと前記ベルトとの当接部より上流側に冷却手段を有するベルトユニットを２セット備え、各ベルトユニットの加熱ローラ同士および分離ローラ同士が２つのベルトを介して互いに圧接するように構成する第２の定着部で前記第１の定着部で加熱された転写材が、前記加熱ローラで押圧された前記ベルト間に挟持・搬送され、前記分離ローラへ搬送される過程で冷却される工程をもつ定着装置が提案されている。
【特許文献１】特開２００６−２０１６５７号公報
【発明の開示】
【発明が解決しようとする課題】
【０００３】
本発明の目的は、加熱手段と固化手段の間に設けられた搬送手段上で記録材上の像が固化手段に達する前に固化し始めることに起因する画質の低下を抑制することにある。
【課題を解決するための手段】
【０００４】
上述した課題を解決するため、本発明の請求項１に係る像定着固化装置は、像が形成されている記録材に接触し、該記録材を加熱する加熱手段と、前記加熱手段で加熱された記録材を搬送する搬送手段と、前記加熱手段から放射された電磁波を前記搬送手段へ反射する反射手段と、前記搬送手段により搬送された記録材の像を固化させる固化手段と、前記加熱手段および前記搬送手段を囲み、且つ、前記固化手段の設けられた空間が外部になるように設けられ、前記加熱手段から放射された電磁波を前記加熱手段および前記搬送手段に向けて反射するとともに、当該電磁波が前記固化手段に伝達されないように遮断する第１反射手段とを備えることを特徴とする。
【０００５】
また、本発明の請求項２に係る像定着固化装置は、請求項１の態様において、前記第１反射手段によって囲まれた空間内であって、前記搬送手段によって搬送される記録材の面に対向する位置に設けられている第２反射手段を備えることを特徴とする。
また、本発明の請求項３に係る像定着固化装置は、請求項１または２の態様において、前記搬送手段は前記記録材の一部に接触して該記録材を搬送する搬送ベルトであって、前記記録材を前記搬送ベルトに密着させる空気流を形成する空気流形成手段とを具備することを特徴とする。
また、本発明の請求項４に係る像定着固化装置は、請求項３の態様において、前記搬送手段は、前記加熱手段で加熱された記録材の像が形成されている面と反対側の面に接して該記録材を搬送することを特徴とする。
また、本発明の請求項５に係る像定着固化装置は、請求項１から４のいずれか１項の態様において、前記搬送手段で搬送される記録材から発生する蒸気を吸引する吸引手段を具備することを特徴とする。
また、本発明の請求項６に係る像定着固化装置は、請求項１から５のいずれか１項の態様において、前記固化手段は少なくとも記録材の像が形成されている面側に接触し前記記録材を冷却する冷却手段であることを特徴とする。
また、本発明の請求項７に係る像定着固化装置は、請求項６の態様において、前記冷却手段は少なくとも複数のロールで張架され循環移動することで記録材の像が形成されている面側に接触し記録材を搬送する第１搬送ベルトを有することを特徴とする。
また、本発明の請求項８に係る像定着固化装置は、請求項７の態様において、前記冷却手段は複数のロールで張架され循環移動することで前記第１搬送ベルトと共に記録材を挟持し搬送する第２搬送ベルトと前記第１搬送ベルトと前記第２搬送ベルトとで記録材を挟持搬送している区間における該第１搬送ベルトの内周面に接触し該第１搬送ベルトを冷却する冷却体とを有することを特徴とする。
また、本発明の請求項９に係る像定着固化装置は、請求項１から８のいずれか１項の態様において、前記記録材に形成されている像は、非晶性樹脂と結晶性樹脂とを成分中に含み、前記反射手段で反射された電磁波により前記記録材上の像が温められた状態を保たれ、前記冷却手段に該記録材が接触する際の温度は非晶性樹脂のガラス転移温度および結晶性温度より高い温度であって、前記冷却手段により非晶性樹脂のガラス転移温度および結晶性樹脂の融点の温度より低い温度に冷却されることを特徴とする。
また、本発明の請求項１０に係る画像形成装置は、記録材に像を形成する像形成手段と上述の像定着固化装置とを備えたことを特徴とする。
【発明の効果】
【０００６】
請求項１に係る像定着固化装置によれば、加熱手段と固化手段との間に設けられた搬送手段上で記録材上の像が固化手段に達する前に固化し始めることに起因する画質の低下を抑制することができる。また、請求項１に係る像定着固化装置によれば、本構成を有していない場合と比較して、搬送手段へ反射される電磁波をより多くすることができる。また、請求項１に係る像定着固化装置によれば、電磁波が固化手段を温めることに起因した固化手段の能力の低下を抑制することができる。
請求項２に係る像定着固化装置によれば、本構成を有していない場合と比較して、搬送手段へ反射される電磁波をより多くすることができる。
請求項３に係る像定着固化装置によれば、本構成を有していない場合と比較し加熱手段と固化手段が離れている場合に、加熱手段から排出された記録材を搬送手段に密着させて固化手段へ搬送する搬送性があがる。
請求項４に係る像定着固化装置によれば、加熱手段で加熱された記録材上の像が固化手段に達する前に、乱れることを抑制する。
請求項５に係る像定着固化装置によれば、本構成を有していない場合と比較し加熱手段で加熱されたことにより記録材から発生する水蒸気に起因したトラブルを抑制する。
請求項６に記載の像定着固化装置によれば、加熱された面を冷却する際に、直接接触しても接触する前に加熱されたことにより発生した蒸気を記録紙から放出させることができるため蒸気が記録紙内に留まることに起因したトナー像の乱れ等の画質欠陥を抑制することができ、かつ直接接触することで冷却効果をあげることができる。
請求項７に記載の像定着固化装置によれば本構成を有しない場合と比較し、像を平滑にすることができる。
請求項８に記載の像定着固化装置によれば本構成を有しない場合と比較し、記録材と冷却手段との密着性をあげ記録材を冷却する能力が向上する。
請求項９に記載の像定着固化装置によれば、固化する際の温度が異なる成分を含む像を固化させる場合に、固化が部分的にはじまる事を抑制できる。
請求項１０に記載の画像形成装置によれば、加熱手段と固化手段との間に設けられた搬送手段上で記録材上の像が固化手段に達する前に固化し始めることに起因する画質の低下を抑制して記録材に画像を形成することができる。
【発明を実施するための最良の形態】
【０００７】
以下、本発明の実施の形態について図面を参照しつつ説明する。
［Ａ．実施形態］
［Ａ−１．画像形成装置の構成］
図１は、本実施形態に係る像定着固化装置と像形成装置を一体に構成した画像形成装置１の構成を示す図である。同図に示すように、画像形成装置１は、用紙収容部１２と、画像形成ユニット１３Ｙ，１３Ｍ，１３Ｃ，１３Ｋと、転写装置１４と、定着装置１５と、冷却装置１６と、搬送装置１７と、反射装置１８とを備えている。これらの各構成は、図示しない制御部によって制御されている。この制御部は、ＣＰＵ（Central Processing Unit）とメモリなどを備え、ＣＰＵがメモリに記憶されているプログラムを実行することにより、画像形成装置１全体を制御する。なお、符号のＹ，Ｍ，Ｃ，Ｋはそれぞれ、イエロー、マゼンタ、シアン、ブラックのトナーに対応した構成であることを意味している。
用紙収容部１２は、Ａ３やＡ４などの所定サイズにカットされた用紙を収容する。用紙収容部１２に収容されている用紙は、制御部の指示により１枚ずつ取り出され、用紙搬送路を経由して転写装置１４へと搬送される。
【０００８】
画像形成ユニット１３Ｙ，１３Ｍ，１３Ｃ，１３Ｋは、それぞれ、感光体ドラム、帯電部、露光部、現像部、一次転写ロール及びクリーニング部材を備えており、対応するトナーを用いて画像データに応じたトナー像を形成し、中間転写ベルト４１に重ねて転写する。この画像データは、図示せぬ画像読取装置によって原画像が読み取られたものであってもよいし、図示せぬコンピュータ装置から送信されてきたデータに基づいて生成されたものであってもよい。転写装置１４は、中間転写ベルト４１と、二次転写ロール４２と、中間転写ベルト４１を挟んで二次転写ロール４２と対向する対向ロール４３とを備えており、画像形成ユニット１３Ｙ，１３Ｍ，１３Ｃ，１３Ｋによって形成されたトナー像を用紙に転写する転写手段である。中間転写ベルト４１は、図示せぬ駆動ロールによって図中のＡ方向に周回させられており、画像形成ユニット１３Ｙ，１３Ｍ，１３Ｃ，１３Ｋによってトナー像が重ねて転写されると、そのトナー像を二次転写ロール４２及び対向ロール４３の位置へと搬送する。二次転写ロール４２は、中間転写ベルト４１との電位差によって、中間転写ベルト４１上のトナー像を用紙収容部１２から搬送されてきた用紙に転写させる。トナー像を転写された用紙は定着装置１５へ送られる。
【０００９】
［Ａ−２．像を構成する材料］
また本実施形態では像を構成するものとして低融点トナーを使用した。この低融点トナーは省エネルギー化にむけ定着時の消費電力を抑えるべく従来のトナーと比較し融点温度が低くなっている。この低融点トナーは常温での保管性と定着時の低温定着適正を両立させる為に、トナー表面を高い温度で溶ける非晶性樹脂のコア表面とし、 トナー内部を低い温度で溶ける結晶性樹脂で構成したコア・シェル構造となっており、保管性と定着特性を両立させるものとなっている。
ここで、非結晶性樹脂と結晶性樹脂について説明する。
【００１０】
［Ａ−２−１．非晶性樹脂］
非晶性樹脂とは、示差走査熱量測定（Differential scanning calorimetry：ＤＳＣ）を用いた熱分析測定において、明確な吸熱ピークではなく、階段状の吸熱変化のみを有するものであり、常温固体で、ガラス転移温度以上の温度において熱可塑化するものをいう。
【００１１】
非晶性樹脂の重量平均分子量（Ｍｗ）は５０００〜１０００００の範囲であることが好ましく、１５０００〜８５０００の範囲であることが好ましい。分子量が５０００より低いと耐ホットオフセット性が悪くなる場合があり、１０００００より大きいとトナー造粒性・形状制御性が悪くなる場合がある。さらに、結着剤樹脂中の解離基含有成分量は２質量％以下が好ましい。これより大きいと形状制御性が損なわれる。なお、解離基含有成分量としてより好ましくは０．２５〜１．７５質量％の範囲、さらに好ましくは０．５〜１．５質量％の範囲である。
【００１２】
非晶性樹脂のガラス転移温度は、４５〜８０℃の範囲であることが好ましく、５０〜７０℃の範囲であることがより好ましい。ガラス転移温度が４５℃未満であると、トナーが貯蔵中または現像器中でブロッキング（トナーの粒子が凝集して塊になる現象）を起こしやすい傾向にある。一方、ガラス転移温度が８０℃を超えると、トナーの定着温度が高くなってしまう。
【００１３】
［Ａ−２−２．結晶性樹脂］
結晶性樹脂とは、示差走査熱量測定（ＤＳＣ）において、階段状の吸熱量変化ではなく、明確な吸熱ピークを有するものをいう。
結晶性樹脂としては、結晶性を有する樹脂であれば特に制限はなく、具体的には、結晶性ポリエステル樹脂、結晶性ビニル系樹脂が挙げられるが、定着時の紙への定着性や帯電性、及び好ましい範囲での融点調整の観点から、結晶性ポリエステル樹脂が好ましい。また、適度な融点をもつ直鎖脂肪族系の結晶性ポリエステル樹脂がより好ましい。
【００１４】
上記結晶性ポリエステル樹脂は、酸（ジカルボン酸）成分と、アルコール（ジオール）成分とから合成されるものである。なお、本発明では、結晶性のポリエステル主鎖に対して、他成分を５０質量％以下の割合で共重合した共重合体も結晶性ポリエステル樹脂とする。
【００１５】
結晶性樹脂の融点は、４０℃以上が好ましく、６０℃以上がより好ましい。但し、上限としては１００℃以下が好ましく、９０℃以下がより好ましい。また、特に低温定着性のためには結晶性樹脂の融点は６０〜９５℃の範囲であることが好ましい。結晶性樹脂の融点が４０℃より低い場合は、トナーの保存時や使用時に、トナーがブロッキングを起こすおそれがある。また、結晶性樹脂の融点が１００℃より高い場合は、粒子化に時間がかかったり、粒度分布が拡大したりして、画質が低下するおそれがある。
【００１６】
結晶性樹脂の分子量は、特に限定されないが、重量平均分子量が８０００以上であることが好ましく、１００００以上であることがより好ましい。但し、１０００００以下であることが好ましく、７００００以下であることがより好ましい。結晶性樹脂の重量平均分子量が８０００より小さいと、定着像の強度不足、現像器攪拌中の破砕等が生じるおそれがある。また、結晶性樹脂の重量平均分子量が１０００００より大きいと、定着温度が上昇するおそれがある。
【００１７】
またトナーには、上述した非結晶性樹脂と結晶性樹脂の他に着色剤、離型剤、帯電制御剤など公知の添加剤を添加されている。
【００１８】
ここで、定着装置を通過した後に用紙が冷えるとトナーの固化がはじまるが、このとき軟化温度近傍と溶融温度近傍での温度変化の勾配が緩やかであると、高い温度で溶ける非晶性樹脂と低い温度で溶ける結晶性樹脂という互いに温度による固化状態が異なる物質が含まれているため、結晶化が一部ではじまったりすることがあり、トナー像にムラが生じることがある。そこで本実施形態では非晶性樹脂のガラス転移温度が６５℃そして結晶性樹脂の融点が８０℃の二つの成分を含むトナーを採用し、定着装置で加熱された空気により冷却装置に突入する際の用紙を９０℃以上に保ち、冷却装置で自然冷却よりも急な温度勾配で冷却し、冷却後用紙の温度が６０℃まで下がるように冷却している。
例えば定着装置で加熱された空気により温めずに、冷却装置に接触する際の温度が融点および軟化点以上に保つために、定着装置温度を高く設定したりする場合と比較し本実施形態では消費電力を抑制している。
【００１９】
［Ａ−３．定着装置、冷却装置、搬送装置および反射装置の構成］
図２は、定着装置１５、冷却装置１６、搬送装置１７および反射装置１８を説明するための図である。本実施形態においては加熱手段として上述の像形成手段によってトナー像が形成された用紙に接触し、その用紙を加熱する定着装置１５を用いた。具体的には、定着装置１５は、加熱ロール５１と加圧ロール５２とを備え、二次転写ロール４２から搬送されてきた用紙に熱と圧力とを加えてその表面に保持されたトナー像を溶融状態にし、用紙に定着させる。加熱ロール５１は、その内部にハロゲンランプなどの熱源５１１を有し、用紙表面の温度を約９０度に加熱する。加圧ロール５２は、加熱ロール５１に押し当てられており、加熱ロール５１と加圧ロール５２との間を通る用紙に圧力を加える。また、加熱ロール５１の表面近傍には、金属や樹脂などで形成された剥離部材５３が設けられている。加熱ロール５１と加圧ロール５２によって熱と圧力とが加えられることで定着工程を経た用紙は、この剥離部材５３によって加熱ロール５１から剥離され、搬送装置１７によって冷却装置１６へと搬送されるようになっている。
【００２０】
また、本実施形態における搬送手段としては搬送装置１７を用いた。この搬送装置１７は、定着装置１５と冷却装置１６との間に設けられている。ここで一般にこのように定着装置と冷却装置に距離をとると、他の部品とのレイアウト上の都合がよい場合があったり、定着装置が発する熱の影響を受けて冷却装置の像を冷却させる効果が低下することを抑制されたり、記録材と像が加熱されることにより発生する水蒸気に起因した像乱れ等の画質欠陥が記録材に現れたりすることを抑制されたりすることがある。特に前述の水蒸気に起因する画質欠陥は、水蒸気が発生している状態の用紙をベルト等で挟持するなどしてその水蒸気の逃げ場をなくしてしまう際に現れやすくなる。
【００２１】
この搬送装置１７は、搬送ロール７１ａ，７１ｂ（以下、これらを区別しないときには単に搬送ロール７１という）および搬送ベルト７２を備え、定着装置１５から排出された用紙を冷却装置１６へ搬送する。搬送ロール７１ａ，７１ｂは、搬送ベルト７２を支持するロールであり、少なくともいずれか一方が図示せぬ駆動部によって回転させられている。搬送ベルト７２は、搬送ロール７１に掛け回された無端ベルト部材であり、上述した剥離部材５３によって加熱ロール５１から剥離された用紙を載せて冷却装置１６へ搬送する。このとき、搬送装置１７は、トナー像が形成された面と反対側の面に接して、用紙を搬送する。
【００２２】
通常用紙を搬送する際には、上述のようにベルトで搬送する構成の他にロール対で搬送する構成等が用いられる。ロール対で搬送する場合のロールは、回転する軸に複数のゴム等を取り付け、用紙の一部に接触する方式をとるのが一般的である。これは例えば用紙の全てに接触するゴム等で構成すると一部に接触する場合より、搬送性に関し劣ったり、部品費用がかかったりするからである。しかしながら溶融状態のトナー像が形成されている用紙を走行する場合に、一部に接触することにより例えばゴムの温度が低さや、ロール表面の凹凸等により、トナー像がムラになる場合がありうる。
【００２３】
ここで、搬送装置１７の搬送ベルト７２は、トナー像が形成された面の反対側の面、すなわち用紙の裏面と接して用紙を搬送するから、用紙の裏面と搬送ベルト７２とは搬送時においてできるだけ密着していることが望ましい。
【００２４】
図３は、搬送装置１７の例を示した概略図である。
例えば図３（ａ）に示す搬送装置の場合には、複数の細い搬送ベルトが用紙の搬送方向と平行に配置されており、これらの搬送ベルトにより用紙が搬送される。本実施形態における空気流形成手段としてはファン７３を使用した。このファン７３は図２に示すとおり搬送装置が用紙を搬送する面の裏面側に配置され、空気を吸引している。用紙の裏面と各ベルトとの間の空気は、各搬送ベルト間の空隙を通って吸引されたのち、系外へ排気される。このようにすると、用紙の裏面側の気圧が用紙の表面側の気圧よりも負圧になるため、各搬送ベルトと用紙の裏面が密着する。
また、図３（ｂ）に示す搬送装置は、搬送ベルトのベルト面に複数の孔が開けられたベルトである。この場合も、同様に用紙裏面側にある空気を吸引することで、用紙を搬送装置に密着させる空気流を形成するものであり、吸引された空気はこの複数の孔を通過して系外に排出される。
【００２５】
ここに例示したこれらの搬送装置は、空気を吸引することによって用紙を搬送装置に密着させるが、用紙裏面とこれを載せる搬送装置側の面との間の空気を吸引する必要があるので、搬送装置側の面は、用紙裏面の全部ではなく、その一部のみと接触して用紙を搬送する。例えば、図３（ｂ）において、破線で示した搬送ベルトの断面を矢線Ｖ方向から見ると、図３（ｃ）に示すように、各ベルトの接触面Ｓが用紙裏面の一部と接しているという具合である。
以下の説明において、搬送ベルト７２は、図３（ｂ）に示すようなベルト面に複数の孔が開けられた搬送ベルトからなるものとして説明する。
【００２６】
図２に戻って説明を続ける。本実施形態においては固化手段として冷却装置１６を使用した。冷却装置１６は、定着装置１５によって溶融状態になったトナー像を冷却して固化させるための固化手段である。冷却装置１６は、複数の第１搬送ロール６１と、第１搬送ベルト６２と、複数の第２搬送ロール６３と、第２搬送ベルト６４と、本実施形態における冷却体として使用しているヒートシンク６６とを備えている。
【００２７】
複数の第１搬送ロール６１は、第１搬送ベルト６２を支持するロールであり、これらのうち少なくともいずれか１つのロールが図示せぬ駆動部によって回転させられている。第１搬送ベルト６２は、複数の第１搬送ロール６１とヒートシンク６６に掛け回された第１の無端ベルト部材であり、第１搬送ロール６１の回転に従って周回移動する。複数の第２搬送ロール６３は、第２搬送ベルト６４を支持するロールである。第２搬送ベルト６４は、複数の第２搬送ロール６３に掛け回された第２の無端ベルト部材であり、第１搬送ベルト６２に連れて図中の矢線Ｂ方向へ周回移動する。この第１搬送ベルト６２の表面は平滑で、第１搬送ベルト６２に接触する前において溶融状態であった用紙上のトナー像は第１搬送ベルト６２に接触し高光沢になる。なお、別の形態として、第１搬送ロール６１と第２搬送ロール６３の両方を駆動してもよく、また逆に第１搬送ベルト６２を第２搬送ベルト６４に連れて回転させてもよい。上述した定着装置１５によってトナー像が定着された用紙は、搬送装置１７の搬送ベルト７２に載せられて搬送されてきて、その用紙先端が、第１搬送ベルト６２に突き当てられる。その後、この用紙は、第１搬送ベルト６２と第２搬送ベルト６４との間に挟持され、これらの周回移動に従って図中の用紙の搬送方向Ｃへと搬送されるようになっている。
【００２８】
ヒートシンク６６は、第１搬送ベルト６２の内周側に、その内周面に接するように設けられており、第１搬送ベルト６２を冷却する。このヒートシンク６６は、第１搬送ベルト６２の内周面に接する基部と、基部の長手方向に対してほぼ垂直に設けられた多数のフィンと、基部及びフィンを覆うケース部と、画像形成装置１の開口部に設けられた２つの回転ファンと、これらの回転ファンを回転させる駆動源としてのモータ（図示略）とを備えている。基部やフィンは熱伝導性の良いアルミニウムなどで形成されており、基部が、用紙から第１搬送ベルト６２を介して伝わってくる熱を吸収して、フィンがその熱を放出する。このフィンにより、ヒートシンク６６の空気と接する表面積が大きくなり、基部が吸収した熱を空気中に拡散する効率があがる。冷却装置１６内の熱せられた空気は、回転する回転フィンによって画像形成装置１の外部へと放出される。このようにして、冷却装置１６は用紙から熱を奪って、その用紙を冷却する。このように冷却装置と用紙の密着性を高めると用紙を冷却する効率があがる。またベルトとヒートシンクで構成することにより、例えば冷却ロールで冷却する場合より限られたスペース内で冷却体に密着している冷却時間が長くなる。
【００２９】
なお、本実施形態では用紙の搬送速度を速く設定しており、その速さは定着装置を通過した後、冷却を行わずに画像形成装置から用紙を排出して排出トレイにスタックしたとすると、排紙トレイにスタックされた用紙のトナー像の温度が下がりきる前に次の用紙が排出され、次に排出された用紙の裏面にトナーが付着してしまう程度の速さである。搬送速度を遅くし、生産性を下げた場合は排紙トレイにスタックした用紙間でのトナーの付着は低減される。
【００３０】
反射装置１８は、本実施形態における反射手段の１つである遮断手段として使用した遮断板８１と、本実施形態における搬送手段で搬送されている記録材に対向する反射手段として使用した対向反射板８２を有する。遮断板８１は、用紙の搬送方向に直交する方向（紙面奥行き方向）に、搬送可能な最大用紙幅以上の幅を有する平板である。具体的には、この遮断板８１は、樹脂製の断熱材の表面に反射率の高いアルミ箔を貼付した平板であり、冷却装置１６の近傍に配置され、定着装置１５や、加熱された用紙の表面から放射される電磁波を上記のアルミ箔で反射することにより、冷却装置１６の方へ伝達されないように遮断すると共に搬送装置１７付近にも電磁波を反射する。対向反射板８２は、遮断板８１と同様に、用紙の搬送方向に直交する方向（紙面奥行き方向）に搬送可能な最大用紙幅以上の幅を有しており、遮断板８１よりも定着装置１５側で、かつ、搬送装置１７が用紙を搬送する搬送面に対向するように配置されている。この対向反射板８２も、樹脂製の断熱材の表面に反射率の高いアルミ箔を貼付した平板である。
【００３１】
図４は、反射装置１８による熱放射で搬送装置１７により搬送されている用紙に熱が伝わることを説明する図である。発熱する定着装置１５や、定着装置１５によって加熱された用紙Ｐおよびトナー像Ｔの熱は電磁波として周囲へ運ばれている。図４（ａ）に破線で示すこれらの電磁波は、そのまま直進すると主に冷却装置１６へ伝達されてしまうが、反射装置１８の遮断板８１によって反射されることにより冷却装置１６への熱の伝達が妨げられるようになっている。また、図４（ｂ）に示すように、用紙Ｐからの電磁波は、主に遮断板８１によって反射され、この反射された電磁波のうち、対向反射板８２方向に進んだものは、対向反射板８２によって再反射されて、用紙Ｐに伝達されている。なお、定着装置１５や用紙Ｐから放射された電磁波が遮断板８１または対向反射板８２によって直接反射され、用紙Ｐに伝達される場合もある。
このように、定着装置１５などから放射される電磁波が搬送装置１７で搬送されている用紙Ｐの表面に集められることにより、用紙Ｐの表面に保持されたトナー像Ｔは温められるので、このトナー像は固化することなく搬送装置１７により冷却装置１６へ搬送される。
【００３２】
また、画像形成装置の初期駆動時においては、搬送装置１７は環境温度とほぼ同じ温度になっている場合が多い。この場合、定着装置１５で加熱された用紙の温度に比べて、搬送装置１７の温度が低いことがあり、用紙の搬送中にその用紙上のトナー像が固化する虞がある。本実施形態においては、定着装置１５におけるプレヒーティングにおいて定着装置１５から反射される電磁波が搬送装置１７の搬送面に集められ搬送装置１７の搬送ベルト７２の外周面を温めておくので、搬送装置１７に用紙を通過させる際には上述のようなトナー像の固化が起こりにくくなる。
また、空気を吸引することにより用紙を密着させるような搬送装置の場合には、図３（ｃ）で示したように、搬送時において用紙裏面の一部のみが搬送装置に接することになるから、搬送装置に接している用紙部分と接していない用紙部分とで温度差が大きくなり、用紙全体におけるトナー像の固化にムラが生じる虞がある。本実施形態においては、定着装置１５から放射される電磁波が搬送装置１７の搬送面に集められ搬送装置１７の搬送ベルト７２の外周面を温めておき、かつ搬送装置１７周辺の空気も温めるため、搬送装置１７で用紙を搬送させる際には上述のようなトナー像のムラが起こりにくくなる。
【００３３】
なお、図３（ｄ）および図３（ｅ）は図３（ｂ）のような搬送装置を用いた際に、本実施形態の構成で用紙を走行した場合（図３（ｄ））と、その比較として遮断板と対向反射板を反射率の低いカバーで覆って反射率を落とした場合（図３（ｅ））と、の二つの構成で用紙を走行した際の図である。ここで図３（ｅ）では図３（ｄ）に比較し搬送装置１７に接触した部分としなかった部分で用紙のトナー像のムラが強くでている。なおこのムラは搬送装置通過後、冷却装置に突入する前でも、また冷却装置を通過した後でも確認された。
【００３４】
［Ｂ．変形例］
上述した実施形態を次の例のように変形してもよい。また、これらの変形例を適宜組み合わせてもよい。
（１）上述した実施形態では、遮断板８１や対向反射板８２は平板であったが、遮断板８１や対向反射板８２は平板に限られない。例えば、搬送装置１７の近傍で折り曲げられていてもよい。図５は、このように折り曲げられた形状の遮断板８１の一例を示す図である。記録材として多く用いられる用紙には水分が含まれており、定着工程によってこの水分が蒸発して水蒸気が発生する場合がある。この場合、この水蒸気が画像形成装置の筐体内側で凝縮し結露が生じ、記録材の表面に形成されたトナー像へと落ちて、画質を乱してしまうおそれがある。図５に示すように、遮断板８１の先端には、搬送方向上流側に向けて折り曲げられて形成された結露水受止部８１１がある。このようにすると、結露水受止部８１１によって、落下する水分を受け止める。なお、図５の手前側または奥側において、搬送される用紙から離れた位置に、上述の受け止められた水分を排出する排出口を設けてもよい。また本実施形態では受止手段を遮断板の一部を折り曲げることにより構成したが、端部ではなく遮断板のどこに設けてもよく、また遮断板に別の板を設けたり、対向反射板に設けたりしてもよい。また本実施形態のように水蒸気の発生しやすい加熱後の用紙を搬送している空間の温度を反射熱によりあげることにより、その空間の飽和水蒸気量は多くなり、温度が低いときに比較し結露が抑制される。
【００３５】
（２）上述した実施形態で遮断板８１は、１枚の平板であって、上方に延びているだけであったが、遮断板８１を構成する板の数や形状はこれに限られない。例えば、複数の板からなる遮断板８１を備え、その形状は、定着装置１５や搬送装置１７を囲むような形状であってもよい。
【００３６】
また、上述した実施形態では、定着装置１５によって温められた空気を系外へ排出することについて、特に記述しなかったが、定着装置１５によって温められた空気を系外へ排出する空気流路形成手段を設けてもよい。
【００３７】
図６は、定着装置１５および搬送装置１７を囲む形状の本実施形態における反射装置１８と、さらにその周囲を囲むダクト１９を示した図である。また、図７は、図６に一点鎖線で示す断面Ｕを搬送方向と平行な矢線Ｖ方向から見たときの定着装置１５、反射装置１８およびダクト１９を示した図である。ここで、遮断板８１は、用紙の搬送方向に平行な２つの面を含み、定着装置１５、搬送装置１７およびこれらを通過する用紙Ｐの搬送経路を覆うように構成される。これにより、図中矢線で示すように、定着装置１５からの熱の電磁波は、遮断板８１によって反射され外部に伝わりにくくなり、定着装置１５および搬送装置１７の周囲の空気を温める。その結果、定着装置１５は保温され、定着装置１５によるエネルギー消費が抑制される。また搬送方向に平行な２つの面を含んで構成することにより、この構成がない場合と比較し用紙の全域が満遍なく温まる。
【００３８】
また、この変形例における断熱手段としてはダクト１９を使用した。ダクト１９は、外壁９１と排気ファン９２を備えている。外壁９１は、用紙の搬送方向に直交する方向（紙面奥行き方向）に、遮断板８１と同じ幅を有する部材であり、その断面はカタカナの「コ」の字型をしている。つまり、このような、「コ」の字型の外壁９１と遮断板８１とにより、筒状のダクト１９が形成されており、そのダクト１９の２つの下端にそれぞれ開口部が設けられていることになる。これらの開口部は、それぞれ内向き、すなわち、定着装置１５側に向けられているため、外壁９１の外側の冷えた空気よりも、定着装置１５の加熱により温められた空気をより多く流す。図６の矢線Ｄ１および矢線Ｄ２は、この空気が流れる空気流路を示している。特に、矢線Ｄ１で示した空気流路は、定着後の用紙Ｐの表面およびその表面に保持されたトナー像Ｔに沿っているため、定着装置１５の加熱により温められた空気は、この空気流路を通ることで、搬送装置１７によって搬送されるトナー像Ｔを温めることとなる。また、図６に示すように、ダクト１９の内側を空気が流れるため、本構成を有していない場合と比較して冷却装置側への熱の伝わりが断たれる。それにより、冷却装置の周囲は断熱され、冷却装置によるエネルギー消費が抑制される。
なお、排気ファン９２はこの変形例における吸引手段としての機能も果たしている。また、この変形例では断熱手段としてダクト１９を使用したが、断熱手段はこれに限らず、断熱効果のある断熱材を貼ってもよい。
また、図６ではＤ１とＤ２と定着装置の上流と下流各々に空気流路を形成するようダクトを構成したが、Ｄ１側のみでＤ２側のダクトはないように構成してもよい。
【００３９】
（３）上述した実施形態において、定着装置１５は、加熱ロール５１と加圧ロール５２とを備えていたが、定着装置１５の構成はこれに限らない。例えば、定着装置１５が、加熱ロール５１と加圧ベルトとを備えていてもよい。この加圧ベルトは、例えばベルト部材と圧力パットとで構成されており、圧力パットがベルト部材を加熱ロール５１側に押し当てることにより、加熱ロール５１と加圧ベルトとの間を通る用紙に圧力を加えるようにしてもよい。
【００４０】
（４）上述した実施形態では、ヒートシンク６６は、第１搬送ベルト６２の内周側においてその内周面に沿うように設けられていたが、第２搬送ベルト６４の内周側においてその内周面に沿うように設けられていてもよいし、また、第１搬送ベルト６２の内周側及び第２搬送ベルト６４の内周側の両方に設けられていてもよい。また記録材のどちらかの片面にしか接触しないベルトを用いてもよい。また、実施形態では、冷却体としてヒートシンク６６を用いていたが、これは用紙などの記録材を冷却する装置であれば何であってもよく、例えば、送風機や冷媒などを用いるものであってもよい。また、ヒートシンク６６などを設けなくても、記録材を冷却できればよい。この場合、例えば、挟持搬送中に充分に熱が拡散し、記録材が冷却されるに充分な程度に長い第１搬送ベルト６２および第２搬送ベルト６４を用いてもよい。また用紙に接触して冷却しなくても非接触で冷却する冷却風などにより冷却しても良い
【００４１】
（５）上述した実施形態では、記録材としてＡ３やＡ４などの所定サイズにカットされた用紙を用いていたが、記録材は用紙に限らず、樹脂製のシートなどでもよく、カットされていないロール状の用紙を用いてもよい。
【００４２】
（６）上述した実施形態では、用紙裏面の周辺空気を吸引することで、用紙を搬送装置１７の搬送面に密着させる搬送装置１７を用いたが、搬送装置に用紙を密着させる手段はこれに限られない。例えば、搬送装置に用紙を密着させる手段として、静電吸着力によって用紙を密着させる搬送装置を用いてもよく、また用紙の自然落下を誘導するガイドで構成してもよい。
【００４３】
（７）上述した実施形態での遮断板８１および対向反射板８２は、樹脂製の断熱材の表面に放射率の高いアルミ箔を貼付した平板を用いた。しかし、他の材質を用いてもよい。例えば、表面が研磨された鋼板などの金属製平板を用いてもよいし、金属メッキを施した樹脂製平板を用いてもよい。
また、上述した実施形態では、対向反射板８２は、１枚であったが、複数枚存在していてもよい。
また、上述した実施形態では、反射手段は平板を組み合わせて構成されていたが、曲面を有する板などを用いて構成してもよい。特に、定着装置１５や搬送装置１７の配置から、定着装置１５等からの電磁波の方向は予めわかるので、反射手段はこれらの方向を予め求め、電磁波を効率的に定着工程後の用紙Ｐまたはおよび搬送手段の表面へ集めるような形状を計算して設計されてもよい。
【００４４】
(８)上述した実施形態では、画像形成装置を用いたが、既に像が形成された用紙を用いて、その用紙上のトナー像を加熱し冷却させる像定着固化装置を個別に設けても良い。その場合、未定着トナー像が形成された用紙を用いて像定着固化を行ってもよいし、一度トナーを定着させた用紙を用いて像定着固化を行っても良い。ここで一度トナーを定着させた用紙を用いる場合を説明する。図示しない画像形成装置によって一旦トナー像が定着された用紙は、例えば図１の像定着固化装置の定着装置で再度トナー像が溶融状態となり、第１搬送ベルト６２にその表面が接触することで高光沢となって排出される。像定着固化装置は加熱と冷却を行うため消費する電力が大きくなる。そのため、像定着固化装置を画像形成部と一体に形成すると１つの装置として必要な電力が大きくなりそれを供給するのが困難になる場合もあるが、このようにこれらを個別に構成しておくと、個々の装置として必要な消費電力が一体に構成するときよりも抑制される。
【００４５】
(９)上述した実施形態では、Ｙ，Ｍ，Ｃ，Ｋのトナーを用いたが、透明トナーや発泡トナーを使用してもよい。特に通常のＹ，Ｍ，Ｃ，Ｋの画像に透明トナーや発泡トナーを更に用いる場合は像の厚さが厚くなる場合があり、トナーが溶融しにくくなることがある。そのような場合には加熱状態にある時間を通常のＹ，Ｍ，Ｃ，Ｋのトナーを用いる場合よりも長くしてトナーを溶融しやすくすることが望ましい。また複数のトナーを使用すると個々のトナーが溶融する軟化温度の差が大きくなる場合もある。そのような場合にはトナー像の加熱温度をこれら全てのトナーの固化温度（例えば溶融温度や軟化温度）よりも高い状態に保ち、一気にこれら全てのトナーの固化温度よりも低い状態まで冷却させることが望ましい。また用紙としてコート紙を利用してもよい。その場合、固化装置に至るまで、コート紙の温度をコート層にトナーが入り込みやすい温度に保っておき、固化装置で固化させることが望ましい。
【００４６】
(１０)上述した実施形態に追加し、定着装置と反射装置との間の空間の温度を測る温度測定部と、温度測定部での測定に基づいて温度を調整する温度調整手段とを備え、熱放射の反射により温度が高くなりすぎた場合や低くなりすぎた場合に、温度を調整するよう構成しても良い。なお温度調整手段としては空気流を発生させることや、電磁波の反射を遮るような反射遮断膜が反射手段と定着装置の間を遮断するように出入りするよう構成しても良い。また、このような温度調整は、上述した温度測定部での測定に基づいて熱源５１１の発熱量、搬送装置１７の搬送速度、ヒートシンク６６の回転ファンの回転数などを制御部がフィードバック制御することで行っても良いし、各機器や記録材などの配置や物性値などから数値計算によって求めた設定値に基づいてこれらを制御することで行っても良い。
【図面の簡単な説明】
【００４７】
【図１】本実施形態に係る画像形成装置の構成を示す図である。
【図２】定着装置、冷却装置、搬送装置および反射装置を説明するための図である。
【図３】搬送装置および搬送装置通過後の用紙の例を示した概略図である。
【図４】反射装置による熱放射の反射を説明する図である。
【図５】遮断板の一例を示す図である。
【図６】定着装置および搬送装置を囲む形状の反射装置と、さらにその周囲を囲むダクトを示した図である。
【図７】搬送方向と平行な方向から見たときの定着装置、反射装置およびダクトを示した図である。
【符号の説明】
【００４８】
１…画像形成装置、１２…用紙収容部、１４…転写装置、１５…定着装置、１６…冷却装置、１７…搬送装置、１８…反射装置、１９…ダクト、４１…中間転写ベルト、４２…二次転写ロール、４３…対向ロール、５１…加熱ロール、５１１…熱源、５２…加圧ロール、５３…剥離部材、６１…第１搬送ロール、６２…第１搬送ベルト、６３…第２搬送ロール、６４…第２搬送ベルト、６６…ヒートシンク、７１…搬送ロール、７２…搬送ベルト、８１…遮断板、８１１…結露水受止部、８２…対向反射板、９１…外壁、９２…排気ファン、Ｃ…搬送方向、Ｄ１，Ｄ２…空気流路、Ｐ…用紙、Ｓ…接触面、Ｔ…トナー像。
【図１】
0005056525.tif 000002
【図２】
0005056525.tif 000003
【図３】
0005056525.tif 000004
【図４】
0005056525.tif 000005
【図５】
0005056525.tif 000006
【図６】
0005056525.tif 000007
【図７】
0005056525.tif 000008